(57)【要約】      （修正有）【課題】地面を掘り込むことができ、草を根元から除去できる草取り装置を提供する。【解決手段】草取り装置１は、金属鎖取付け部材２と、金属鎖取付け部材２に設けられた金属鎖３と、金属鎖取付け部材２を駆動する駆動装置４を有し、前記金属鎖３は一端が連結され、他端が自由になっているものであり、地面に比べて硬くしかも十分な重さを有する金属鎖３が地面を掘り起こし、草を根元から掘り出す。【選択図】図１
0003144196.tif 000002
【実用新案登録請求の範囲】
【請求項１】
金属鎖取付け部材と、金属鎖取付け部材に設けられた金属鎖と、金属鎖取付け部材を駆動する駆動装置を有し、前記金属鎖は一端が連結され、他端が自由になっている草取り装置。
【請求項２】
金属鎖取付け部材の上部に設けられた回転刃と、回転刃および金属鎖の外周を囲うカバーを有し、
カバーは内側に弾性部材を有し、外側に剛性部材を有するものであり、
カバーは複数の部材に分割されており、その分割された部材同士が相互に支持軸を中心に回転されることによってカバーが開閉可能に構成されている請求項１に記載の草取り装置。
【考案の詳細な説明】
【技術分野】
【０００１】
この発明は、動力を用いて雑草を取り除く装置に関する。
【背景技術】
【０００２】
ガソリンエンジンを動力とする草刈り機は広く使用されているが、これは地上に出た部分の切断を行うのみで、根は地中に残したままである。草を根元から取り除くには、手で草をつかんで引き抜いたり、小型スコップなどを使用して手作業で行われたりしている。
【０００３】
特許文献１には、刃先ひもを有する草取り機が記載されている。同文献によると、駆動エンジンに推進軸を介し、ひも巻きを取り付けた本体をエンジン取り付け台に設置し、刃先ひもの回転面を斜めに傾け、地面に浅く切り込む角度（約１０度）で、ひも巻きを軽く接地させ、駆動エンジンの取り付け台が車体に対して取り付け穴を支点としてシーソーのように揺動するように取り付け、その斜め回転で地面に切り込もうとする刃先ひもの移動で草を削り取る。
【特許文献１】特許公報第３０２５８８２号
【考案の開示】
【考案が解決しようとする課題】
【０００４】
特許文献１によれば、その装置は草刈りではなく地面に生えている草を根こそぎとりのぞくものである。また、このような回転ひもを使った装置は市販されている。しかし、本願考案者が試みたところ、このような回転ひもは地面に当たってもはねかえされて掘り込むことはできず、草の地上部分を切断することしかできないことが判明した。
【０００５】
この考案は、地面を掘り込むことができ、草を根元から除去できる草取り装置を提供することを目的とする。
【課題を解決するための手段】
【０００６】
上述の課題を解決するため、この考案の草取り装置は、金属鎖取付け部材と、金属鎖取付け部材に設けられた金属鎖と、金属鎖取付け部材を駆動する駆動装置を有し、前記金属鎖は一端が連結され、他端が自由になっている。
【０００７】
また、上述の構成に加えて、
金属鎖取付け部材の上部に設けられた回転刃と、回転刃および金属鎖の外周と上方を囲うカバーを有し、
カバーは内側に弾性部材を有し、外側に剛性部材を有するものであり、
カバーは複数の部材に分割されており、その分割された部材同士が相互に支持軸を中心に回転されることによってカバーが開閉可能に構成されてもよい。
【考案の効果】
【０００８】
この考案の草取り装置は、回転する金属鎖によって地面を効果的に掘り込み、草を除去することができるという効果を有する。さらに、金属鎖取付け部材の上部に回転刃を設けることにより、背の高い草も容易に除去することができる。
【考案を実施するための最良の形態】
【０００９】
この考案を実施するための最良の形態について説明する。図１は、草取り装置の全体を示す底面図であり、図２は草取り装置の先端部を示すＡ断面図である。
【００１０】
草取り装置１は、金属鎖取付け部材２と、金属鎖取付け部材２に設けられた金属鎖３と、金属鎖取付け部材３を駆動する駆動装置４、金属鎖取付け部材３の上部に設けられた回転刃５と、回転刃５および金属鎖３の外周を囲うカバー６を有する。カバーは２つの部材、すなわち、固定部７と回転部８に分割されており、回転部８が支持軸９を中心に回転することによって開閉可能に構成されている。カバー６の内側は弾性部材１１が、外側には剛性部材１０が設けられている。
【００１１】
この草取り装置１の上側部分は市販の草刈り機に類似している。本体フレーム１２の上端には駆動装置４が設けられている。駆動装置は電動モータでもよいが、ここでは市販の草刈り機と同様のガソリンエンジンが使用されている。この駆動装置４による回転力は、本体フレーム１２の内部のシャフト（図示せず）によって先端部へ伝達される。
【００１２】
本体フレーム１２の中間部より、ハンドル１３が突き出ている。このハンドル１３の握り部には、操作レバー１４が設けられており、駆動装置の回転速度を調整できるようになっている。
【００１３】
草取り装置１の先端部について詳細に説明する。本体フレーム１２の下端には変換器１５が設けられている。この変換器１５によって軸ｘを中心とする回転が、軸ｙを中心とする回転に変換される。ここで、カバーの支持軸９は回転軸ｙと同軸になっているが、支持軸９は変換器１５に対して固定されており、回転しない。
【００１４】
回転刃５はプロペラ状の２枚刃でもよいが、ここでは円盤状の刃物を使用する。回転刃５は回転軸ｙを中心に回転するように設けられている。この回転刃５の下側には金属鎖取付け部材２が、回転軸ｙを中心に回転するように設けられている。
【００１５】
金属鎖３は金属鎖取付け部材２の外縁付近に設けられている。複数の金属鎖３が、回転軸ｙに対して点対称となるように配置されるが、ここでは２本の金属鎖３が設けられている。それぞれの金属鎖３は複数の環よりなっている。ここで使用される金属鎖は５ｍｍ程度の太さの鋼線の環が２個または３個つながったものである。金属鎖３の一端は金属鎖取付け部材２に連結され、他端が自由になっている。回転による遠心力で金属鎖３が伸びた状態になったときに、その先端部は回転刃５の外縁よりも内側にある。
【００１６】
カバー６は支持軸９に嵌め込まれるように取り付けられている。上側はスプリング１７によって押さえられており、スプリング１７の伸縮できる長さ分だけ、軸方向に上下動することができる。このカバー６は全体として、天板を有する円筒の形状である。カバー６は固定部７と回転部８に分割されている
【００１７】
固定部７はほぼ天板を有する円筒の形状であるが、本体フレーム１２と反対側の側面が開いている。また、固定部７には、孔１６が設けられていて、この孔１６を本体フレーム１２が通っている。この本体フレーム１２によって固定部７の回転は制限されるので、固定部７は支持軸９に対して回転しない。
【００１８】
一方、回転部８は支持軸９に対して回転自在に取り付けられている。この回転部８は、固定部７の側面の開放部を塞ぐことができる程度の大きさの側壁を有する。この回転部８の側壁が固定部７の開放部に重なるときは、カバー全体が閉じた状態となり、開放部に重ならない位置に回転させることによって、カバー６の一部が開いた状態となる。このとき、その開放部を通して外部より回転刃５が見えるようになる。
【００１９】
固定部７および回転部８は多層構造となっている。外側は剛性部材１０である。剛性部材としては金属や硬質プラスチックなどが使用できるが、ここでは鋼板を使用している。一方、内側は衝撃を吸収できる弾性部材１１である。ここでは厚さ２ｍｍ程度のゴム板を使用している。
【００２０】
つぎに、この草取り装置１の作用および使用方法を説明する。地面を掘り込みながら草取りするときには、カバー６を閉じた状態にセットする。駆動装置４を作動させると、回転刃５と金属鎖取付け部材２が回転する。金属鎖取付け部材２の回転により、金属鎖３も回転する。
【００２１】
草取り装置１の先端部を下げ、回転する金属鎖３が地面に当たるようにする。金属鎖３は地表部の土砂に比べて硬く、しかも十分な重さを有するので、硬い地盤でも効果的に地面を掘り込むことができる。しかも、金属鎖３は自在に変形することができるので、地面の凹凸にも適応し、駆動装置４はほぼ一定のトルクで動力を供給できる。また、回転による遠心力で金属鎖３が伸びた状態でもその先端部は回転刃５の外縁よりも内側にあるので、金属鎖３によって回転刃５の刃先が破損することはない。
【００２２】
この金属鎖３は硬い地面や小石を含む地面であっても掘り込むことができる。このとき、土片や小石が地表からはじき出されるが、カバー６によって外への飛散が防止される。地面より掘り出された草の飛散も防止される。カバー６の内側の弾性部材により衝撃が吸収され、カバー６が破損しないとともに、音も軽減される。一方、外側は弾性部材よりも剛性が高い素材であるため変形しにくく、さらにカバー６全体の強度が保たれる。
【００２３】
カバー６は、地面の凹凸に適応しながら支持軸９に対して上下動することができる。したがって、地面を隙間なく覆って小石等の飛散を効果的に防止ながら、適切な深さで金属鎖３を地面に食い込ませることができる。こうして、金属鎖３は地面を掘り起こしながら、草を根元から掘り出す。
【００２４】
草の背丈が高い場合には、金属鎖３が地面に届きにくいことがある。このような場合、回転部８を回転させ、カバー６を開いた状態にする。そして、草取り装置１の先端部を地面よりやや浮かせ、通常の草刈り機のように草を地表近くの高さで切断する。草はカバー６の開放部を通って回転刃５に接し、切断される。
【００２５】
こうして、草を低く切り取ったら、カバー６を閉じた状態にし、前述の手順にて地面を掘り起こし、草を根元から取り除く。特に、雨上がりの湿った地面に対して効果が高い。
【００２６】
以上、この草取り装置１は効果的に草を取り除くことができる。構成も簡易であり、既に普及している草刈り機と比べて、コストの増加はわずかである。作業者はしゃがんだ姿勢をとることない。操作も簡単であり、高齢者でも楽に草取りをすることができる。
【図面の簡単な説明】
【００２７】
【図１】草取り機を示す底面図である。
【図２】草取りの先端部を示す断面図である。
【符号の説明】
【００２８】
１．草取り機
２．金属鎖取付け部材
３．金属鎖
４．駆動装置
５．回転刃
６．カバー
７．固定部
８．回転部
９．支持軸
１０．剛性部材
１１．弾性部材
１２．本体フレーム
１３．ハンドル 
１４．操作レバー
１５．変換器
１６．孔
１７．スプリング
【図１】
0003144196.tif 000003
【図２】
0003144196.tif 000004
【手続補正書】
【提出日】平成20年6月17日(2008.6.17)
【手続補正１】
【補正対象書類名】実用新案登録請求の範囲
【補正対象項目名】請求項１
【補正方法】変更
【補正の内容】
【請求項１】
金属鎖取付け部材と、金属鎖取付け部材に設けられた金属鎖と、金属鎖取付け部材を駆動する駆動装置を有し、前記金属鎖は一端が金属鎖取付け部材に連結され、他端が自由になっている草取り装置。
【手続補正２】
【補正対象書類名】明細書
【補正対象項目名】０００６
【補正方法】変更
【補正の内容】
【０００６】
上述の課題を解決するため、この考案の草取り装置は、金属鎖取付け部材と、金属鎖取付け部材に設けられた金属鎖と、金属鎖取付け部材を駆動する駆動装置を有し、前記金属鎖は一端が金属鎖取付け部材に連結され、他端が自由になっている。